(57)【要約】  車両を安全保証することは、これまで充分に解決されていない。本発明によればこの問題は、システム（１）によって解決され、そのシステムは、−少なくとも１つのサーバ（３０）を有し；−車両処理装置（１１）と車両通信装置（１２）とを備えた少なくとも１つの車両（１０）を有し、車両通信装置（１２）は、少なくとも１つのモバイル無線網（２）を介してサーバ（３０）と通信するように形成されており、車両処理装置（１１）が、データ（６０）をサーバ（３０）へ伝達するように形成されており、−少なくとも１つのモバイル端末（４０）、特にスマートフォン（４０）を有し、サーバ（３０）が少なくとも１つの対応づけテーブル（３４）を有しており、その対応づけテーブルが少なくとも１つの車両（１０）に少なくとも１つの端末（４０）を対応づけ、サーバ（３０）が次のように、すなわち：ａ）伝達された車両（１０）のデータ（６０）を使用して、車両が不当に移動されたか、を確認し；ｂ）車両（１０）の移動が不当である場合に、対応づけテーブル（３４）を使用して、付属の端末（４０）を求め、かつ／又はｃ）不当な移動である場合に、付属の端末（４０）へ警告通知（６１）を送信するように、形成されている。【選択図】図１
2019524562.tif 000002
【特許請求の範囲】
【請求項１】
システム（１）であって、
−少なくとも１つのサーバ（３０）、特にクラウドサーバもしくはウェブサーバを有し、
−車両処理装置（１１）と車両通信装置（１２）を備えた、少なくとも１つの車両（１０）、特に自転車（１０）、三輪車又はオフロード車両（たとえばＱＵＡＤ、ＡＴＶ、ＵＴＶ）を有し、車両通信装置（１２）が、少なくとも１つのモバイル無線網（２）を介してサーバ（３０）と通信するように形成されており、車両処理装置（１１）が、データ（６０）をサーバ（３０）へ伝達するように形成されている、
ものにおいて、
サーバ（３０）が少なくとも１つの対応づけテーブル（３４）を有しており、前記対応づけテーブルが少なくとも１つの車両（１０）に少なくとも１つの端末（４０）を対応づけ、
サーバ（３０）が次のように、すなわち
ａ）伝達された車両（１０）のデータ（６０）を使用して、車両（１０）が不当に移動されたか、を確認し、
ｂ）車両（１０）の移動が不当である場合に、対応づけテーブル（３４）を使用して付属の端末（４０）を求め；かつ／又は
ｃ）不当な移動である場合に、付属の端末（４０）へ警告通知（６１）を送信する、
ように、形成されている、
ことを特徴とするシステム。
【請求項２】
車両（１０）が、サテライトナビゲーションシステムの信号を受信して、車両（１０）の位置を定めるために、位置決定装置（１３）、たとえばＧＰＳ又はＧＮＳＳ受信機（１３）を有し、車両処理装置（１１）が、車両（１０）の位置をサーバ（３０）へ伝達するように、形成されている、ことを特徴とする請求項１に記載のシステム。
【請求項３】
車両（１０）が、制御部（１４）を介して制御される少なくとも１つの電気ドライブ（１５）を有しており、走行状態（Ｚ）、たとえば車両（１０）が移動されたことを表す状態（Ｚ１）を求めるために、車両処理装置（１１）が制御部（１４）及び／又は電気ドライブ（１５）と通信接続されている、ことを特徴とする請求項１又は２のいずれか１項に記載のシステム。
【請求項４】
車両（１０）が、近距離通信装置（１８）、たとえばブルートゥース（登録商標）モジュール（１８）を有しており、該近距離通信装置が、モバイル端末（４０）及び車両処理装置（１１）と通信接続されている、ことを特徴とする請求項１から３のいずれか１項、特に請求項３に記載のシステム。
【請求項５】
制御部（１４）が、近距離通信装置（１８）の信号（６３）、特に許可通知（６３）に従って電気ドライブ（１５）を作動させるように、形成されている、ことを特徴とする請求項１から４のいずれか１項、特に請求項４に記載のシステム。
【請求項６】
電気ドライブ（１５）を作動させるために、キーペアを介して暗号化された前記／１つの許可通知（６３）が短距離通信装置（１８）と１つ／前記モバイル端末（４０）との間で交換される、ことを特徴とする請求項１から５のいずれか１項、特に請求項５に記載のシステム。
【請求項７】
キーペアのキー（３５、３５’、３５"）が、コンポーネント固有であって、コンポーネント（５０）、たとえばバッテリー又は充電式バッテリー（５０）、の交換によってその有効性を失う、ことを特徴とする請求項１から６のいずれか１項、特に請求項６に記載のシステム。
【請求項８】
車両処理装置（１１）が次のように、すなわち
ａ）１つ／前記走行状態（Ｚ１、Ｚ２）及び／又は少なくとも１つの加速度センサ（１７）の信号に従ってアクティブ状態とパッシブ状態の間で変化し；
ｂ）アクティブ状態においては、たとえば１時間より短く、特に１０分よりも短い、小さい時間インターバルで、データ（６０）をサーバ（３０）へ伝達し、
ｃ）パッシブ状態においては、たとえば１時間より長い、特に２時間より長い、大きい時間間隔でデータをサーバ（３０）へ伝達し、あるいはパッシブ状態においては、データをサーバ（３０）へ伝達しない、
ように形成されている、
ことを特徴とする請求項１から７のいずれか１項に記載のシステム。
【請求項９】
車両処理装置（１１）が次のように、すなわちパッシブ状態においていくつかのコンポーネント、たとえば位置決定装置（１３）及び／又は車両通信装置（１２）を、少なくとも時々電流なしに切り替えるように、形成されている、ことを特徴とする請求項８に記載のシステム。
【請求項１０】
サーバ（３０）が、少なくともいくつかの車両（１０）に関して、許可情報（３６、３６’、３６"）を記憶し、前記許可情報が、それぞれの車両が移動されてよいか、を
表し、サーバ（３０）が次のように、すなわちそれぞれの車両（１０）の許可情報（３６、３６’、３６”）を使用して、車両が不当に移動されたか、を確認するように、形成されている、ことを特徴とする請求項１から９のいずれか１項に記載のシステム。
【請求項１１】
サーバ（３０）が次のように、すなわち対応づけられたモバイル端末（４０）から受信した命令（６２）に従って、それぞれの許可情報（３６、３６’、３６”）をセットするように、形成されている、ことを特徴とする請求項１０に記載のシステム。
【請求項１２】
少なくとも１つのモバイル端末（４０）が、アプリケーション、特にアプリを有し、前記アプリは、モバイル端末（４０）によってアプリケーションが実施された場合に、サーバ（３０）と通信するように、かつ／又はサーバ（３０）によって準備された情報（６０）、特に位置情報（６０）を、可視化するように、形成されている、ことを特徴とする請求項１から１１のいずれか１項に記載のシステム。
【請求項１３】
特に請求項１から１２のいずれか１項に記載のシステム（１）用の、かつ／又は請求項１から１２のいずれか１項に記載のシステム（１）の車両（１０）用の、方法であって、
ａ）車両通信装置（１２）を用いてデータ（６０）、特に位置データ（６０）をサーバ（３０）へ伝達するステップと、
ｂ）伝達された車両（１０）のデータ（６０）を使用して、車両（１０）が不当に移動されたか、を確認するステップと、
ｃ）車両（１０）の移動が不当である場合に、対応づけテーブル（３４）を使用して付属の端末（４０）を求めるステップと、
ｄ）不当な移動である場合に、付属の端末（４０）へ警告通知（６１）を送信するステップと、
を含む、方法。
【請求項１４】
不当な移動である場合に、信号発信器（１９）、たとえばクラクション（１９）を作動させる、ステップを含む、請求項１３に記載の方法。
【請求項１５】
請求項１３又は１４のいずれか１項に記載の方法を履行するための命令が実施される場合に、その命令を有するコンピュータ読取り可能なメモリ。
【請求項１６】
システムであって、
−車両処理装置（１１）と近距離通信装置（１８）とを備えた、少なくとも１つの車両（１０）、特に自転車（１０）、三輪車、オフロード車両（たとえばＱＵＡＤ、ＡＴＶ、ＵＴＶ）を有し、車両（１０）が制御部（１４）によって制御される電気ドライブ（１５）を有し、かつ制御部（１４）が、近距離通信装置（１８）の信号（６３）、特に許可通知（６３）に従って電気ドライブ（１５）を作動させるように、形成されており、
−少なくとも１つのモバイル端末（４０）、特にスマートフォン（４０）を有し、該モバイル端末が、無線接続（４）を介して車両（１０）と通信するように形成されており、
電気ドライブ（１５）を作動させるために、キーペアを介して暗号化された１つ／前記許可通知（６３）が近距離通信装置（１８）とモバイル端末（４０）の間で交換される、
ものにおいて、
キーペアのキー（３５、３５’、３５"）が、特にハードウェアＩＤ（４５、４５’、４５"）に基づいて、コンポーネント固有であり、かつコンポーネント（５０）の交換によって有効性を失う、
ことを特徴とするシステム。
【請求項１７】
車両（１０）であって、
−車両通信装置（１８）を有し、
−制御部（１４）によって制御される電気ドライブ（１５）を有し、制御部（１４）が、近距離通信装置（１８）の信号（６３）、特に許可通知（６５）に従って電気ドライブ（１５）を作動させるように形成されており、かつ電気ドライブ（１５）を作動させるために、キーペアを介して暗号化された１つ／前記許可通知（６３）が近距離通信装置（１８）によって受信される、
ものにおいて、
前記キーペアのキー（３５、３５’、３５"）が、特にハードウェアＩＤ（４５、４５’、４５"）に基づいて、コンポーネント固有であり、かつコンポーネント（５０）の交換によって有効性を失う、ことを特徴とする車両。
【発明の詳細な説明】
【技術分野】
【０００１】
本発明は、車両の安全を保証するシステムと方法に関する。
【背景技術】
【０００２】
バッテリー駆動される車両、特に電気自転車（いわゆるＥバイク）は、非常に人気がある。他の電気車両も、都市交通において重要性を獲得している（たとえば電気的な小型車両又はオフロード車両）。
【０００３】
これらは、電気車両の値段が高いことに基づいて、盗まれるリスクが高い。
【０００４】
たとえば電気車両を不動の対象に接続することを許す、ナンバー錠のような、伝統的な安全機構は、携帯しなければならず、したがって重いという、欠点を有している。それによって電気車両の行動範囲が減少する。さらに、電気車両が盗まれた場合に、すぐにそれを追跡するのは不可能である。さらに、錠を携帯するのはドライバーにとって不快であり、かつ購入には付加的なコストがかかる。
【０００５】
自動車の場合には、盗難防止はきわめて成熟している。自動車においては、電子的なひげなしロックを有するキーレス−ゴーシステムは、従来技術である。その場合にひげなしロックは、非接触で車両を開放し、かつロックすることができる。自動車は、無線を介して解除して始動させることができる。さらに、最近の自動車にはアラームシステムが搭載されており、自動車が権限のない者によって移動されるとすぐに、アラーム信号を作動させる。
【０００６】
自動車においては、自動車内にＧＰＳ位置トラッカーが配置されており、自動車が盗まれた場合に、それが自動車の追跡を可能にするような解決も知られている。そのために、地図上で自動車の位置を可視化するウェブサイトが設けられている。
【０００７】
自転車については、Ｖｅｌｏｃａｔｅ社によるシステムが知られており、それにおいてＧＰＳ位置トラッカーが自転車の尾灯内に配置されている。尾灯が揺すられることにより、すなわちたとえば自転車が移動された場合に、スマートフォンアプリを介してユーザーへ警告が送信される。その場合に設定（configuration）のために、ブルートゥース（登録商標）接続が必要である。
【０００８】
上述した解決の欠点は、車両が移動されるか、が連続的に測定されなければならないことである。さらに、それに応じたセンサ装置も必要である。
【発明の概要】
【発明が解決しようとする課題】
【０００９】
この従来技術から出発して、本発明の課題は、上述した欠点に焦点をあてたシステムと方法を提供することである。特に本発明の課題は、使用されるコンポーネントのエネルギ消費が少なく、確実かつ使いやすいシステムと方法を提供することである。さらに、個々のコンポーネントのコンパクトな構造を可能にしようとしている。
【課題を解決するための手段】
【００１０】
この課題は、次のものを有するシステムによって解決される：
−少なくとも１つのサーバ、特にクラウドサーバもしくはウェブサーバ；
−車両処理装置と車両通信装置とを備えた少なくとも１つの車両、特に自転車、三輪車又はオフロード車両（たとえばＱＵＡＤ、ＡＴＶ、ＵＴＶ）、その場合に車両通信装置が、少なくとも１つのモバイル無線網を介してサーバと通信するように形成されており、その場合に車両処理装置が、データをサーバへ伝達するように形成されている。
【００１１】
その場合にサーバが少なくとも１つの対応づけテーブルを有しており、その対応づけテーブルが少なくとも１つの車両に少なくとも１つの端末を対応づけ、その場合にサーバが次のように、すなわち
ａ）伝達された車両のデータを使用して、車両が不当に移動されたか、を確認し；
ｂ）車両の移動が不当である場合に、対応づけテーブルを使用して付属の端末を求め；かつ／又は
ｃ）不当な移動である場合に、対応する端末へ警告通知を送信する、
ように、形成されている。
【００１２】
したがって本発明の重要な核心は、伝達された車両のデータのみに基づいて、車両が不当に移動されたか、が確認されることにある。その場合に１つの実施形態においては、データがたとえば、車両通信装置が所定のモバイル無線セルと通信することを示せば、充分である。モバイル無線セルは、通常、大まかな位置を示す。車両が他のセルと接続される場合には、それは、車両が移動されたことのインジケータとなる。車両が不当に移動されたか、を確認するために、サーバは少なくとも１つの対応づけテーブルを有している。対応づけテーブルは、車両と端末の一義的な対応づけを形成することができる。その場合に対応づけテーブルは、どの端末が警告通知を受け取るべきかを求める、きわめて簡単な可能性をあらわす。対応づけテーブルは、端末対車両の関係づけを許し、その関係づけは、特に１：１、１：Ｎあるいは又Ｎ：Ｍの関係づけタイプを有し、その場合にここでは関係づけタイプを記述するために、Ｍｉｎ−Ｍａｘ表記法が使用される。
【００１３】
ただサーバへデータを伝達するだけで済むことにより、システムのきわめてエネルギを節約する変換が可能である。さらに上述したシステムは、データが少なくとも実質的にサーバ上で処理されることを、許す。それによって、車両の処理装置がいわゆる埋め込みプロセッサとして、さほどパワフルではなく、わずかな電流しか消費しないプロセッサとして、形成されることが、可能である。またそれによって、車両がわずかなメモリのみを搭載することが、可能である。それによって車両のコストが低下する。
【００１４】
ある実施形態において、システムは、少なくとも１つのモバイル端末、特にスマートフォン又はいわゆるウエアラブルを有することができる。
【００１５】
ある実施形態において、車両が位置決定装置を有しており、その位置決定装置は、サテライトナビゲーションの信号を受信するため、かつ車両の位置を定めるために、形成されている。その場合に車両処理装置は、車両の位置をサーバへ伝達するように、形成することができる。位置決定装置は、たとえばＧＰＳ受信機又はＧＮＳＳ受信機とすることができる。それによって、車両のきわめて正確な位置決定が可能である。したがって車両の位置がサーバへ伝達された場合に、車両が不当に移動されたか、をきわめて迅速に確認することが可能である。したがって車両の不当な移動から付属の端末へ知らせるまでの間の時間が、短縮される。
【００１６】
ある実施形態において、車両は、制御部を介して制御される少なくとも１つの電気ドライブを有しており、その場合に車両状態を求めるために、車両処理装置が制御部及び／又は電気ドライブと通信接続することができる。ある実施形態において、車両が移動された場合にのみ、データがサーバへ送信される。
【００１７】
したがって上述した実施形態においては、車両自体、車両が移動されたかどうかを確認するように、形成することができる。上述した実施形態において、サーバは、移動が正当に行われたか、不当に行われたかを確認することができる。したがってサーバ上の計算の手間が削減される。
【００１８】
ある実施形態において、車両は近距離通信装置を有することができ、その近距離通信装置が端末及び車両処理装置と通信接続することができる。
【００１９】
近距離通信装置は、たとえばブルートゥース（登録商標）モジュールとすることができ、その場合にワイヤレスＵＳＢ又は８０２．１１Ａ／Ｂ／Ｇ／Ｎ／ＡＣ  ＷＬＡＮのような、他のテクノロジーも考えられる。車両が近距離通信装置を有している場合に、端末は車両と直接通信することができる。
【００２０】
他の実施形態において、制御部は、近距離通信装置の信号に従って電気ドライブを作動させるように、形成することができる。
【００２１】
たとえば短距離通信装置は、許可通知を受信することができる。その場合に許可通知は、車両を移動させてよいことを示す。その場合に許可通知は、短距離通信装置を介して受信することができ、そのことは暗示的に、端末が車両の近傍にあることを表す。
【００２２】
したがって、上述したシステムによって、いわゆるキーレス−ゴー機能を提供することができる。その場合に端末は、キーの役割を果たす。このような機能性は、特に車両のドライバーにとって快適である。というのは、別のキーを携帯する必要がないからである。
【００２３】
許可通知は、暗号化することができる。たとえばキーペアを使用する、非対称の暗号化方法を使用することができる。したがってある実施形態においては、電気ドライブを作動させるために、キーペアを介して暗号化された許可通知を短距離通信装置と端末との間で交換することができる。ある実施形態においては、車両を作動させるために、端末の認証が成功裏に行われれば、充分である。
【００２４】
許可通知の暗号化が、システムの安全性を向上させる。したがって特に第三者には、許可通知を不当に車両へ送信することは、不可能である。暗号化するために、ＡＥＳ、ＳＨＡ、ＰＧＰのような慣用の方法、あるいは、たとえば有限体において楕円曲線を使用するような、暗号方式を使用することができる。
【００２５】
ある実施形態において、キーペアのキーは、コンポーネント固有とすることができ、かつコンポーネントの交換によってその有効性を失うことができる。
【００２６】
車両のコンポーネントは、たとえばバッテリー、充電式バッテリー、制御部又は電気モータとすることができる。その場合にキーは、少なくとも部分的に、使用されるコンポーネントに基づいて生成することができる。たとえば１つ又は複数のコンポーネント、たとえばバッテリー又は充電式バッテリーのシリアルナンバー又は識別ナンバーが、偶然のキーを生成する場合のソルト（salt）として使用することができ、それによって入力のエントロピーが増大される。他の可能性は、キーペアのキーを生成するために、たとえば種々のコンポーネントのシリアルナンバーを組み合わせることにある。車両のコンポーネントが交換された場合に、キーはその有効性を失う。
【００２７】
代替的に、種々のコンポーネントを明確にする、見出し語又はリストを設けることができる。この場合において、たとえば許可方法の経過において、存在するコンポーネントがリスト又は見出し語内で検出されたコンポーネントと一致するか、を検査することができる。一致しない場合には、存在する結合（ペアリング）及び／又はキーを消去し、もしくは非作動にすることができる。
【００２８】
上述した実施形態は、不当なユーザーが、車両を走行できなくすることなしに、車両のコンポーネントを簡単に交換することはできない、という利点を有している。それによって安全性が向上する。
【００２９】
他の実施形態において、車両処理装置は次のように、すなわち
ａ）走行状態及び／又は少なくとも１つのセンサ、特に加速度センサ、移動センサあるいは位置決定装置の信号に従ってアクティブ状態とパッシブ状態の間で変化し；
ｂ）アクティブな状態においては、たとえば１時間より短い、特に１０分より短い、小さいタイムインターバルで、データをサーバへ伝達し；
ｃ）パッシブな状態においては、たとえば１時間よりも長い、特に２時間よりも長い大きいタイムインターバルで、データをサーバへ伝達し、あるいはパッシブ状態においては、データをサーバへ伝達しない、
ように形成することができる。
【００３０】
車両が移動された場合に、データが高い周波数でサーバへ送信されると、効果的である。それによって、車両の位置を確認することが、可能である。車両が移動されない場合には、エネルギを節約するために、データがめったに送信されないと、効果的である。
【００３１】
ある実施形態においては、車両がアクティブな状態にあるか、パッシブな状態にあるかを認識するために、加速度センサを使用することができる。そのために加速度センサの信号を分類することができる。たとえばＳＶＭ又はニューラルネットワークなどのような、機械学習方法が考えられる。
【００３２】
ある実施形態においては、車両処理装置は、パッシブな状態においていくつかのコンポーネントを少なくとも時々電流なしに切り替えるように、形成することができる。
【００３３】
たとえば、車両処理装置は、位置決定装置及び／又は車両通信装置を電流なしに切り替えるように、形成することができる。したがって、車両がパッシブな状態にある場合に、さらに電流が節約される。
【００３４】
ある実施形態において、サーバは少なくともいくつかの車両について、それぞれの車両が移動してよいか、を表す許可情報を記憶することができ、その場合にサーバは、それぞれの車両の許可情報を使用して、車両が不当に移動されたか、を確認するように、形成することができる。
【００３５】
したがって上述した実施形態においては、すべての情報がサーバ上にあって、それが簡単な管理と効率的なリソース利用を可能にする。
【００３６】
ある実施形態においては、サーバは、対応づけられた端末から受信した命令に従って許可情報をセットするように、形成することができる。
【００３７】
したがって原則的に、端末がサーバ上の許可情報をセットすることが可能である。それによって、車両の移動が正当に実施されるか、不当に実施されるかを、端末によって制御することができる。その結果、端末は認証に使用することができる。したがって上述したキーレス−ゴー機能を効率的に変換する、可能性が提供される。
【００３８】
他の実施形態において、少なくとも１つの端末はアプリケーションを有することができ、そのアプリケーションは、アプリケーションが端末によって実施される場合に、サーバと通信し、かつ／又はサーバによって準備された情報を可視化するように、形成することができる。
【００３９】
端末上で、たとえば、受信した情報を可視化するアプリを実施することができる。情報は、たとえば位置情報とすることができる。したがって車両の位置は、たとえば端末の地図上でいつでも表示することができる。直観的に操作される、ユーザーになじみやすく、かつ見やすい解決が提供される。
【００４０】
ある実施形態において、デバイスは外部のサービス業者に配置することができる。外部のサービス業者は、たとえば民間警備業者、又は、たとえば警察のような、国の治安当局とすることができる。さらに、ある実施形態においては、デバイスをフリートオペレーターに配置することが可能である。
【００４１】
したがって車両が不当に移動された場合に直接治安当局又は民間警備業者へ報告することが可能なので、それによって車両の回収を迅速に開始することができる。それによって潜在的威嚇が高まるので、事前に盗難を阻止することができる。
【００４２】
課題はさらに、特に上述したようなシステムのため、かつ／又は上述したシステムの車両のための、方法によって解決され、その方法は、以下のステップ：
ａ）データ、特に位置データを、車両通信装置によってサーバへ伝達し；
ｂ）伝達された車両のデータを使用して、車両が不当に移動されたか、を確認し；
ｃ）車両が不当に移動された場合には、対応づけテーブルを使用して付属の端末を求め； 
ｄ）移動が不当である場合に、付属の端末に警告通知を送信する、
ステップを有している。
【００４３】
システムに関連してすでに説明したのと同様又は同一の利点が生じる。
【００４４】
ある実施形態において、方法は、不当な移動である場合に、信号発信器を作動させるステップを有することができる。たとえばクラクションを作動させることができるので、車両が不当に移動された場合には、近傍にいる通行人にアラームで知らされる。
【００４５】
方法はさらに、上述した方法を履行させるための命令が実施される場合に、その命令を有するコンピュータ読取り可能なメモリによって解決される。
【００４６】
課題はさらに、システムによって解決され、そのシステムは：
−車両処理装置と車両通信装置とを有する、少なくとも１つの車両、特に自転車、三輪車又はオフロード車両（たとえばＱＵＡＤ、ＡＴＶ、ＵＴＶ）を有し、その場合に車両が制御部によって制御される電気ドライブを有し、かつその場合に制御部が、近距離通信装置の信号、特に許可通知、に従って電気ドライブを作動させるように、形成されており；
−少なくとも１つの端末、特にスマートフォンを有し、該端末が、無線接続を介して車両と通信するように形成されており、電気ドライブを作動させるために、キーペアを介して暗号化された許可通知が近距離通信装置と端末との間で交換される。
【００４７】
その場合にキーペアのキーは、特にハードウェアＩＤベースの、コンポーネント固有であって、コンポーネントの交換によってその有効性を失う。
【００４８】
システムに関連してすでに説明したのと同様又は同一の利点が生じる。
【００４９】
ある実施形態において、無線接続はブルートゥース（登録商標）接続とすることができる。
【００５０】
ある実施形態において、許可通知は、車両に対する端末の最小距離を下回った場合に自動的に伝達することができる。
【００５１】
自動的な接続形成は、車両のドライバーが手動のステップを行う必要がない、という利点を有している。これは、きわめて快適な解決となる。
【００５２】
ある実施形態において、車両は車両通信装置を有することができ、それは、データをモバイル無線網へ送信し、かつそこから受信するように形成することができ、その場合に車両通信装置はさらに、キーを含むデータを受信するように形成することができ、その場合に車両処理装置は、受信したキーに基づいて許可通知を復号化するためのキーを更新するように、形成することができる。
【００５３】
車両通信装置が、キーを含むデータを受信することができると、効果的である。受信したデータは、キーの更新を実施するために、利用することができる。たとえば車両のドライバーがそのキーを紛失し、あるいは忘れた場合に、車両のメーカーから新しいキーを提供してもらうことができ、そのキーは、場合によっては暗号化して、車両へ伝達することができる。
【００５４】
ある実施形態において、端末はバイオメトリックセンサ、特に指紋スキャナ又はアイリススキャナを有することができ、その場合に端末は、バイオメトリックセンサによって検出されたデータを使用して、キーペアのキーを受信するように形成することができ、そのキーによって許可通知を暗号化することができる。
【００５５】
許可通知を暗号化するためのキーは、ドライバーのバイオメトリックデータに基づいて付加的に形成することもできる。したがってキーとドライバー及び車両との結合が保証されている。
【００５６】
ある実施形態において、端末が車両の受信領域内にある場合、特に車両から２メートル、好ましくは１メートルの距離内にある場合に、許可通知の送信は自動的に実施することができる。
【００５７】
ある実施形態において、端末が車両の受信領域内にあるか、の確認は、無線接続の信号強さに基づいて、かつ／又は信号到達時間に基づいて、実施することができる。
【００５８】
さらに課題は、車両、特に自転車、三輪車又はオフロード車両（たとえばＱＵＡＤ、ＡＴＶ、ＵＴＶ）によって解決され、その車両は、
−車両通信装置を有し；
−制御部によって制御される電気ドライブを有し、その場合に制御部は、近距離通信装置の信号、特に許可通知に従って電気ドライブを作動させるように形成されており、かつその場合に電気ドライブを作動させるために、キーペアを介して暗号化された許可通知が、近距離通信装置によって受信される。
その場合にキーペアのキーは、特にハードウェアＩＤベースで、コンポーネント固有であって、コンポーネントの交換によってその有効性を失う。
【００５９】
他の実施形態が、下位請求項から明らかにされる。
【００６０】
以下、複数の実施例を用いて本発明が記述され、それらの実施例が図によって詳細に説明される。
【図面の簡単な説明】
【００６１】
【図１】アラームシステムを図式的に示している。
【図２】自転車を図式的に示している。
【図３】サーバを図式的に示している。
【図４】対応づけテーブルを図式的に示している。
【図５】車両のドライバーに警告する方法のフローチャートである。
【図６】キーレス−ゴー機能の使用を図式的に示している。
【図７】車両充電式バッテリーを図式的に示している。
【図８】解除プロセスを図式的に示している。
【発明を実施するための形態】
【００６２】
以下において、同一又は等しく作用する部分には、同一の参照符号が使用される。
【００６３】
図１は、ドライバーに警告するシステム１の図式的な表示を示している。システムは、自転車１０、サーバ３０及びスマートフォン４０を有している。スマートフォン４０は、たとえばドライバーによって保持することができ、かつアプリを実施することができ、そのアプリがサーバ３０から警告メッセージ６１を受信することができる。サーバ３０は、第１の実施例においてウェブサーバとして形成されており、それがインターフェイスを提供し、そのインターフェイスは、スマートフォン４０上のアプリから利用することができる。
【００６４】
サーバ３０は、モバイル無線網２と通信接続されている。したがってサーバ３０は、呼びかけに応じること、あるいはたとえばＳＭＳメッセージを受信することができる。さらにサーバ３０は、モバイル無線網２を介してインターネット接続を形成することができる。そのためにサーバ３０は、たとえばＵＭＴＳ規格又はＬＴＥ規格を使用することができる。したがって警告メッセージ６１は、モバイル通信網２を介して送信することもできる。
【００６５】
自転車１０がデータ６０をモバイル通信網２へ送信し、そのデータがサーバ３０によって受信される。データ６０は、たとえば位置データ６０とすることができる。位置データ６０はたとえば周期的に、たとえば１時間、２時間あるいは分単位の時間間隔で、送信することができる。
【００６６】
受信したデータ６０を用いてサーバ３０は、自転車１０が移動されたか否かを、求めることができる。データ６０がＧＰＳ座標である場合に、サーバ３０によって、ＧＰＳ座標が変化したか、を簡単に求めることができる。しかしデータ６０は、モバイル無線セルの識別ナンバーであってもよい。その場合にサーバ３０は、モバイル無線セルの識別ナンバーが変化したか、を確認することができる。モバイル無線セルの変化がもたらされた場合には、自転車１０の移動が存在する。
【００６７】
他の実施例においては、データ６０は、自転車１０の経路を予測するために、利用することができる。そのためにたとえばパーティクルフィルタ又は再帰型ニューロネットワークを使用することができる。その場合に履歴位置データがエビデンスとして使用できるので、未来の位置を予測することができる。
【００６８】
サーバ３０は、自動車が移動されたかの確認後に、その移動が正当な移動であるか、不当な移動であるか、を求めることができる。サーバ３０が、自転車１０の移動が不当に行われたことを確認した場合に、サーバは警告メッセージ６１をスマートフォン４０へ送信する。第１の実施例において、警告メッセージ６１はＳＭＳである。他の実施例においては、警告メッセージ６１はウェブサービスのプッシュ通知であってもよい。
【００６９】
警告メッセージ６１は、たとえば自転車１０の位置についての情報を含んでいる。すなわち自転車１０の位置は、スマートフォン４０の表示装置上に地図で可視化することができる。さらに、スマートフォン４０が自転車１０の過去の移動の推移を地図上に示すことが、可能である。したがってスマートフォン４０のユーザーにはいつでも、自転車１０がどこへ移動しているか、を追跡することが可能である。そのようにして法執行機関又はユーザー自体が、自転車１０を取り戻すことができる。
【００７０】
図２は、システム１の自転車１０の図式的な構造を示している。自転車１０は、少なくとも１つの車両処理装置１１と車両通信装置１２とを有している。車両処理装置１１は、車両通信装置１２を使用しながらモバイル無線網２を介して通知をサーバ３０へ送信するように、形成されている。上述したように、車両通信装置１２は、たとえばＳＭＳをサーバ３０へ送信することができる。図２に示す自転車１０は、さらに位置決定装置１３を有している。位置決定装置１３は、ＧＰＳ受信機として形成することができ、したがって自転車１０の現在の位置を定めることができる。
【００７１】
求められたＧＰＳ座標は、その後車両通信装置１２を介してサーバ３０へ送信することができる。
【００７２】
しかし他の実施例においては車両処理装置１１が、自転車１０の位置が変化したか、を検査することも可能である。ＳＭＳ又は他の通知は、自転車１０の位置が変化した場合にのみ、サーバ３０へ送信すれば済む。したがって通知の不必要な送信を阻止することができる。
【００７３】
実施例において自転車１０は、電気ドライブ１５を有する電気自転車である。電気ドライブ１５は、バッテリー５０から電流を供給されて、制御部１４によって駆動される。電気ドライブ１５は、この実施例においてペダルを踏み込む際にドライバーを支援する。したがって車両処理装置１１は、電気ドライブ１５がアクティブである場合に、自転車１０が移動するか、も確認することができる。したがってこの実施例において、位置決定装置１３を省くことができる。自転車１０が移動するか、を確認するための他の可能性は、加速度センサ１７を設けることである。加速度センサ１７は、たとえばジャイロメータとして形成することができる。車両処理装置１１は、加速度センサ１７によって生成されたデータを使用しながら、自転車１０の移動が存在するか、を確認することができる。したがって、自転車１０の移動を確認するために、加速度センサ１７を設けるだけで充分である。
【００７４】
他の実施例においては、車両通信装置１２が、加速度センサ１７の生データもしくは車両処理装置１１によってあらかじめ処理されたデータを、サーバ３０へ送信することができる。
【００７５】
この実施例において、車両通信装置１２は、サーバ３０から通知を受信するように、形成されている。たとえば、サーバ３０によって、自転車１０の移動が不当な移動であることが確認された場合に、サーバ３０は通知を車両通信装置１２へ送信することができる。車両処理装置１１は、通知の受信に反応して，自転車１０に配置されているクラクション１９を作動させることができる。それによってそばにいる通行人は、自転車１０の不当な移動を知らされる。
【００７６】
上述した実施例において、自転車１０のドライバーもしくは所有者は、不当な移動について知らされ、位置データ６０を介して自転車１０を見つけることができる。さらに、自転車１０に設けられたアラーム設備機能を作動させることが可能なので、そばにいる通行人は、盗難を知らされる。
【００７７】
図３は、サーバ３０の例を示している。サーバ３０は、図示される例において計算ユニット３１、メモリ３２およびネットワークインターフェイス、たとえばネットワークカード３３を有している。さらにサーバ３０はデータベースを有しており、そのデータベースが多数の対応づけテーブル３４を有している。
【００７８】
ネットワークカード３３が自転車１０からデータ、たとえば位置データ６０を伴う自転車ＩＤを受信する。まずサーバ３０は、自転車１０の移動が存在するか、を確認することができる。その場合にメモリ３２内に記憶されている自転車１０の過去のデータを、受信した位置データ６０と比較することができる。位置データの偏差が存在する場合に、移動が確認される。対応づけテーブル３４内には、許可情報３６、３６’、３６”が含まれており、それらは許可情報３６、３６’、３６”（図４を参照）に対応づけられた車両１０の移動が、正当に実施されたか、不当に実施されたか、を示す。したがって対応づけテーブル３４を介してサーバ３０は、自転車１０の確認された移動が正当に実施されたか、不当に実施されたか、を簡単に確認することができる。
【００７９】
サーバ３０によって、自転車１０の移動が不当に実施されたことが確認された場合に、ネットワークカード３３が警告通知６１をドライバーのスマートフォン４０へ送信する。
【００８０】
図４は、対応づけテーブル３４の図式的な構造を示しており、その対応づけテーブルはサーバ３０のデータベースに記憶されている。対応づけテーブル３４は、第１のコラムを有し、その中に車両ナンバー２０、２０’、２０"が記憶されている。これらの車両ナンバー２０、２０’、２０”は、車両を一義的に同定する「グローバル一意識別子」（ＧＵＩＤ）タイプであることができる。対応づけテーブル３４は、さらにデバイス番号４５、４５’、４５"のためのコラムを有しており、その場合にデバイス番号４５、４５’、４５”は、たとえばスマートフォンのようなモバイル端末デバイス４０のＩＭＥＩナンバーであることができる。したがって各車両１０にデバイス４０が一義的に割り当てられている。
【００８１】
車両ナンバー２０、２０’、２０”用のコラムとデバイス４５、４５’、４５”用のコラムから、車両１０の不当な移動が確認された場合に、サーバ３０がどのデバイス４０に警告通知６１を送信しなければならないか、を求めることができる。
【００８２】
対応づけテーブルは、さらに、許可権限３６、３６’、３６”用のコラムを有することができる。許可権限用のコラムは、許可情報３６、３６’、３６”に付属する車両１０を移動してよいか、を表す。
【００８３】
たとえばサーバ３０が、車両ナンバー２０を有する車両１０が移動されたことを確認した場合に、許可情報３６は、この移動が正当に実施されたか、あるいは不当に実施されたか、を表す。移動が不当である場合に、デバイス番号４５を有するデバイス４０に警告通知６１が送信される。
【００８４】
対応づけテーブル３４は、さらにユーザーを承認するために使用することができるキー３５、３５’、３５”を記憶するコラムを有することができる。たとえばキー３５、３５’、３５”は、非対称の暗号化方法の私と公のキーのタプルとすることができる。キー３５、３５’、３５”は、自転車１０の詳細な通知６１を検証するために、使用することができる。それによって、不当な通知６０が受信されることを、排除することができる。
【００８５】
他の実施例においては、デバイス４０用のコラム内に、唯一のデバイスナンバー４５、４５’、４５”の他にデバイスナンバー４５、４５’、４５”のタプル（tuple、組）も記載することができる。車両ナンバー用のコラム内に、唯一の車両ナンバー２０の他に車両ナンバー２０のタプルも記載することができる。したがって対応づけテーブル３４によって１：Ｎ及びＭ：Ｎの関係も変換される。代替的に対応づけテーブル３４は、デバイスナンバー又は車両ナンバーのための他の多数のコラムを有することができ、それによって上述した関係タイプを変換することができる。
【００８６】
実施例において、デバイス４０は第三者プロバイダーに配置されている。第三者プロバイダーは、たとえば民間の警備業者、警察又はフリートオペレーターとすることができる。すなわち第三者も車両１０の不当な移動について、いつでも報告を受けることができる。
【００８７】
図５は、ドライバーに警告する方法のフローチャートを示している。ステップＳ１において、データ６０がサーバ３０へ伝達される。そのために車両通信装置１２を使用することができる。データ６０は、特に自転車１０の位置データとすることができる。
【００８８】
ステップＳ２において、伝達されたデータ６０から、車両１０の状態Ｚが走行状態Ｚ１であるか停止状態Ｚ２であるかが確認される。状態Ｚが停止状態Ｚ２に相当することが確認された場合には、方法がステップＳ１から続行される。それに対して状態Ｚが走行状態Ｚ１に相当することが確認された場合には、方法はステップＳ３へ進んで、そこで車両１０の移動が正当な移動であるか、不当な移動であるかが求められる。
【００８９】
そのために、対応づけテーブル３４が使用される。
【００９０】
車両１０の移動が不当な移動であることが確認された場合に、対応づけテーブル３４内で対応づけられたスマートフォン４０へ警告通知６１が送信される。
【００９１】
図６は、他の実施例を図式的に示している。図６の実施例において、自転車１０は付加的にブルートゥース（登録商標）モジュール１８（図２も参照）を有している。スマートフォン４０も同様にブルートゥース（登録商標）モジュール４２を有している。したがってスマートフォン４０は、直接自転車１０と通信することができる。特にスマートフォン４０は、自転車１０との通信が成功裏に形成されている場合に、移動が正当に行われることを示す、対応づけテーブル３４内の許可情報３６をセットするために、サーバ３０へ通知６２を送信することができる。
【００９２】
スマートフォン４０が自転車１０の受信領域３内にあると直ぐに、スマートフォン４０と自転車１０との間に接続が自動的に形成されると効果的である。受信領域３は、半径Ｒによって定められ、かつブルートゥース（登録商標）モジュール１８と４２の到達距離に依存している。
【００９３】
自転車１０とスマートフォン４０の間に接続を形成するために、図示される実施例においては、自転車１０とスマートフォン４０の間で暗号化された許可通知６４が交換される。したがって、正当なスマートフォン４０のみが該当する自転車１０と通信することが、保証されている。通知６４を暗号化するために使用されるキー３５、３５’、３５”は、少なくとも一部は、自転車１０内で使用されるハードウェアコンポーネントに基づくことができる。すなわちこの実施例においては、キー３５、３５’、３５”は、組み込まれた充電式バッテリー５０のシリアルナンバーを使用して形成される。充電式バッテリー５０が交換された場合には、キー３５、３５’、３５”はその有効性を失う。したがって自転車１０における変更によって、不当なユーザーが自転車１０の不当な移動を行うことは、不可能になる。
【００９４】
スマートフォン４０と自転車１０の間の接続が成功裏に形成された場合に、自転車１０の制御部１４が電気ドライブ１５を解放する。通常の場合に電気ドライブ１５は、オフにされているので、自転車１０の不当な移動は阻止される。したがってスマートフォン４０が自転車１０に接近すると、いわゆるキーレス−ゴー機能が提供される。
【００９５】
図７は、本発明の他の実施例を示している。すなわちスマートフォン４０は、自転車１０の個々のコンポーネント５０との接続を形成するためにも使用される。この例において充電式バッテリー５０が計算ユニット５１、メモリ５２及び通信装置５３を有している。通信装置５３は、メモリ５２から充電式バッテリー５０のハードウェアＩＤ５４を読み出して、それに基づいてキーを形成することができ、そのキーはスマートフォン４０によって認証のために使用することができる。認証が成功裏に実施された場合に、充電式バッテリー５０−は自転車１０の駆動に必要なエネルギ供給を提供する。
【００９６】
図示される実施例の利点は、たとえば自転車１０もしくは車両１０にキーレス−ゴー機能を後から搭載できることである。
【００９７】
図８に示す実施例においては、サーバ３０を省くことができる。その場合にスマートフォン４０と自転車１０の間の通信は、無線接続４を介して行われ、警告通知６１は自転車１０から直接スマートフォン４０へ送信される。
【００９８】
当業者には、上述した実施例と実施形態が例としての特徴しかもたず、かつ、発明の理念から逸脱することなしに、実施例の個々の視点を互いに組み合わせることができることは、明らかである。
【符号の説明】
【００９９】
１    システム
２    モバイル無線網
３    受信領域
４    無線接続
１０    車両、自転車
１１    車両処理装置
１２    車両通信装置
１３    ＧＰＳ受信機、位置決定装置
１４    制御部
１５    電気ドライブ
１６    バッテリー、コンポーネント
１７    加速度センサ
１８    ブルートゥース（登録商標）モジュール、近距離通信装置
１９    信号発信器、クラクション
２０、２０’、２０”    車両ＩＤ
３０    サーバ
３１、４１、５１    計算ユニット
３２、５２    メモリ
３３    通信装置、ネットワークカード
３４    対応づけテーブル
３５    キー
３６、３６’、３６”    許可情報
４０    スマートフォン、モバイル端末
４２    ディスプレイ
４２    ブルートゥース（登録商標）モジュール
４３    ＬＴＥ−、ＵＭＴＳ−、ＧＳＭ（登録商標）−モジュール
４４    位置決定装置、ＧＰＳセンサ
４５、４５’、４５”    デバイスＩＤ
４１    アプリ、アプリケーション
５０    バッテリー、充電式バッテリー
５３    通信装置
５４    ハードウェアＩＤ
６０    データ、位置データ
６１    警告通知
６２    許可情報をセットするための命令
６３    許可通知、信号
６４    暗号化された許可通知
Ｒ    間隔
Ｚ    状態
Ｚ１    走行状態
Ｚ２    停止状態
【図１】
2019524562.tif 000003
【図２】
2019524562.tif 000004
【図３】
2019524562.tif 000005
【図４】
2019524562.tif 000006
【図５】
2019524562.tif 000007
【図６】
2019524562.tif 000008
【図７】
2019524562.tif 000009
【図８】
2019524562.tif 000010
【国際調査報告】
2019524562.tif 000011
2019524562.tif 000012
2019524562.tif 000013
2019524562.tif 000014
2019524562.tif 000015
2019524562.tif 000016